(57)【要約】  コンパクトなフットプリントを有する廃棄物処理システム（２０）。廃棄物処理システムデバイスは、所定長さの管状ライナーフィルムを有するカセットを受け入れる。廃棄物処理デバイス及びカセットは、類似の断面形状を有することができる。廃棄物処理デバイス及び／又はカセットは、第１の壁（２８）と、第２の壁（３０）と、それらの間に構成された約６０と約１２０度の間の第１の挟角（β）とを含む。【選択図】図１
2019503319.tif 000002
【特許請求の範囲】
【請求項１】
廃棄物を受け入れるためのカセットであって、
第１の側縁と、
前記第１の側縁及び第２の側縁がそれらの間に約６０から約１２０度の範囲の挟角を有するように構成される前記第２の側縁と、
前記２つの側縁の間を延びてそれらに接続された前縁と、
使用中に廃棄物を受け入れるための開放端と廃棄物を格納するための閉鎖端とを有する所定長さのほぼ管状のライナーフィルムと、
を含み、
カセットが、ほぼ三角形、ルーロー三角形、円錐断面、切頭円錐断面、又はその組合せである形状を有する、
ことを特徴とするカセット。
【請求項２】
前記第１の側縁、前記第２の側縁、及び前記前縁は、前記ライナーフィルムが廃棄物を格納するために通過する中央通路を構成することを特徴とする請求項１に記載の廃棄物を受け入れるためのカセット。
【請求項３】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、前記中央通路を更に構成する、
ことを特徴とする請求項２に記載の廃棄物を受け入れるためのカセット。
【請求項４】
前記第１の側縁、前記第２の側縁、及び前記前縁は、外側縁部を構成することを特徴とする請求項１に記載の廃棄物を受け入れるためのカセット。
【請求項５】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、外壁を更に構成する、
ことを特徴とする請求項４に記載の廃棄物を受け入れるためのカセット。
【請求項６】
前記ライナーフィルムの前記開放端は、カセットに取り付けられることを特徴とする請求項１に記載の廃棄物を受け入れるためのカセット。
【請求項７】
廃棄物を受け入れるためのカセットであって、
第１の側縁と、
前記第１の側縁及び第２の側縁がそれらの間に約６０から約１２０度の範囲の挟角を有するように構成される前記第２の側縁と、
約９０から約１５０度の範囲の第２の挟角をその間に備える第１の縁部分及び第２の縁部分を有する前縁と、
使用中に廃棄物を受け入れるための開放端と廃棄物を格納するための閉鎖端とを有する所定長さのほぼ管状のライナーフィルムと、
を含み、
カセットが、ほぼダイヤモンドの形状である、
ことを特徴とするカセット。
【請求項８】
前記第１の側縁、前記第２の側縁、及び前記前縁は、前記ライナーフィルムが廃棄物を格納するために通過する中央通路を構成することを特徴とする請求項７に記載のカセット。
【請求項９】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、中央通路を更に構成する、
ことを特徴とする請求項７に記載のカセット。
【請求項１０】
前記第１の側縁、前記第２の側縁、及び前記前縁は、外側縁部を構成することを特徴とする請求項７に記載のカセット。
【請求項１１】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、外壁を更に構成する、
ことを特徴とする請求項１０に記載のカセット。
【請求項１２】
廃棄物を受け入れるためのカセットであって、
第１の側縁と、
前記第１の側縁及び第２の側縁がそれらの間に約６０から約１２０度の範囲の挟角を有するように構成される前記第２の側縁と、
前記２つの側縁間を延びてそれらに接続された前縁と、
使用中に廃棄物を受け入れるための開放端と廃棄物を格納するための閉鎖端とを有する所定長さのほぼ管状のライナーフィルムと、
を含み、
カセットが、前記前縁の近くに位置付けられた最大幅方向寸法を有し、
カセットが、前記挟角の二等分線に沿って延びる最大深さ方向寸法を有する、
ことを特徴とするカセット。
【請求項１３】
前記第１の側縁、前記第２の側縁、及び前記前縁のうちの少なくとも１つが、弓形であることを特徴とする請求項１２に記載のカセット。
【請求項１４】
前記前縁は、第１の前縁セグメント及び第２の前縁セグメントを更に含むことを特徴とする請求項１２に記載のカセット。
【請求項１５】
前記第１の前縁セグメントは、第１の端部及び第２の端部を有し、第２の前縁が、第３の端部及び第４の端部を有し、該第１の端部は、前記第１の側縁に接続可能であり、該第４の端部は、前記第２の側縁に接続可能であることを特徴とする請求項１４に記載のカセット。
【請求項１６】
前記第２の端部は、前記第３の端部に接続し、かつ約６０度と約１５０度の間の第２の挟角を形成することを特徴とする請求項１５に記載のカセット。
【請求項１７】
前記第１の側縁及び前記第１の端部は、第３の挟角を形成し、前記第２の側縁及び前記第４の端部は、第４の挟角を形成することを特徴とする請求項１６に記載のカセット。
【請求項１８】
前記最大幅方向寸法は、該最大幅方向寸法が前記前縁に近接するように前記第３の挟角の二等分線と該前縁の間にあることを特徴とする請求項１７に記載のカセット。
【請求項１９】
前記最大幅方向寸法は、該最大幅方向寸法が前記前縁に近接するように前記第４の挟角の二等分線と該前縁の間にあることを特徴とする請求項１７に記載のカセット。
【請求項２０】
廃棄物を受け入れるためのカセットであって、
第１の側縁と、
前記第１の側縁及び第２の側縁がそれらの間に約６０から約１２０度の範囲の挟角を有するように構成される前記第２の側縁と、
前記２つの側縁間を延びてそれらに接続された前縁と、
使用中に廃棄物を受け入れるための開放端と廃棄物を格納するための閉鎖端とを有する所定長さのほぼ管状のライナーフィルムと、
を含み、
カセットが、ほぼ三角形、ルーロー三角形、円錐断面、切頭円錐断面、又はその組合せである形状を有する、
ことを特徴とするカセット。
【請求項２１】
前記第１の側縁、前記第２の側縁、及び前記前縁は、前記ライナーフィルムが廃棄物を格納するために通過する中央通路を構成することを特徴とする請求項２０に記載の廃棄物を受け入れるためのカセット。
【請求項２２】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、中央通路を更に構成する、
ことを特徴とする請求項２０から請求項２２のいずれか１項に記載の廃棄物を受け入れるためのカセット。
【請求項２３】
前記第１の側縁、前記第２の側縁、及び前記前縁は、外側縁部を構成することを特徴とする請求項２０から請求項２２のいずれか１項に記載の廃棄物を受け入れるためのカセット。
【請求項２４】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、外壁を更に構成する、
ことを特徴とする請求項２０から請求項２３のいずれか１項に記載の廃棄物を受け入れるためのカセット。
【請求項２５】
前記ライナーフィルムの前記開放端は、カセットに取り付けられることを特徴とする請求項２０から請求項２４のいずれか１項に記載の廃棄物を受け入れるためのカセット。
【請求項２６】
第１の縁部分及び第２の縁部分が、それらの間に約９０から約１５０度の範囲の第２の挟角を有し、
カセットが、ほぼダイヤモンドの形状である、
ことを特徴とする請求項２０から請求項２５のいずれか１項に記載の廃棄物を受け入れるためのカセット。
【請求項２７】
前記第１の側縁、前記第２の側縁、及び前記前縁は、前記ライナーフィルムが廃棄物を格納するために通過する中央通路を構成することを特徴とする請求項２０から請求項２７のいずれか１項に記載のカセット。
【請求項２８】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、中央通路を更に構成する、
ことを特徴とする請求項２０から請求項２７のいずれか１項に記載のカセット。
【請求項２９】
前記第１の側縁、前記第２の側縁、及び前記前縁は、外側縁部を構成することを特徴とする請求項２０から請求項２８のいずれか１項に記載のカセット。
【請求項３０】
前記第１の側縁は、ほぼ下方に延びる第１の側壁を構成し、前記第２の側縁は、ほぼ下方に延びる第２の側壁を構成し、前記前縁は、ほぼ下方に延びる前壁を構成し、
前記第１の側壁、前記第２の側壁、及び前記前壁は、外壁を更に構成する、
ことを特徴とする請求項２０から請求項２８のいずれか１項に記載のカセット。
【請求項３１】
前記前縁の近くに位置付けられた最大幅方向寸法を有し、
前記挟角の二等分線に沿って延びる最大深さ方向寸法を有する、
ことを特徴とする請求項２０から請求項３０のいずれか１項に記載のカセット。
【請求項３２】
前記第１の側縁、前記第２の側縁、及び前記前縁のうちの少なくとも１つが、弓形であることを特徴とする請求項２０から請求項３１のいずれか１項に記載のカセット。
【請求項３３】
前記前縁は、第１の前縁セグメント及び第２の前縁セグメントを更に含むことを特徴とする請求項２０から請求項３２のいずれか１項に記載のカセット。
【請求項３４】
第１の前縁セグメントが、第１の端部及び第２の端部を有し、第２の前縁が、第３の端部及び第４の端部を有し、該第１の端部は、前記第１の側縁に接続可能であり、該第４の端部は、前記第２の側縁に接続可能であることを特徴とする請求項２０から請求項３３のいずれか１項に記載のカセット。
【請求項３５】
第２の端部が、第３の端部に接続し、かつ約６０度と約１５０度の間の第２の挟角を形成することを特徴とする請求項２０から請求項３４のいずれか１項に記載のカセット。
【請求項３６】
前記第１の側縁及び第１の端部が、第３の挟角を形成し、前記第２の側縁及び第４の端部が、第４の挟角を形成することを特徴とする請求項２０から請求項３５のいずれか１項に記載のカセット。
【請求項３７】
最大幅方向寸法が、該最大幅方向寸法が前記前縁に近接するように第３の挟角の二等分線と該前縁の間にあることを特徴とする請求項２０から請求項３６のいずれか１項に記載のカセット。
【請求項３８】
最大幅方向寸法が、該最大幅方向寸法が前記前縁に近接するように第４の挟角の二等分線と該前縁の間にあることを特徴とする請求項２０から請求項３７のいずれか１項に記載のカセット。
【発明の詳細な説明】
【技術分野】
【０００１】
〔関連出願への相互参照〕
この出願は、本明細書にその全体が組み込まれている２０１６年１月２８日出願の米国特許出願第６２／２８８，０５５号に対する優先権を主張するものである。
【０００２】
本発明の開示は、廃棄物処理デバイス及びそれに使用するためのフィルム分注カセットに関する。
【背景技術】
【０００３】
カセットを含む廃棄物処理デバイスは、おむつ及びごみのような悪臭廃棄物を格納するのに一般的に使用される。そのような廃棄物処理デバイスでは、カセットは、ビンの開口部において支持され、かつ廃棄物処理デバイスのビンの内側空洞の中に突き出る管状フィルムを分注する。管状フィルムの自由端は、バッグ状構造を構成するように閉じることができる。多くの場合に、廃棄物処理デバイスは、バッグを完全に閉じる内部機構（例えば、締め付け、捩りなど）を含み、それによって内部機構の下のバッグ内の廃棄物を隔離し、かつバッグ内の匂いを捕捉する。
【発明の概要】
【発明が解決しようとする課題】
【０００４】
廃棄物処理デバイスは、空間が限定された部屋に多くの場合に位置付けられる。その結果、ほとんどの従来技術のデバイスと同じくらい又はそれよりも多い廃棄物を閉じ込める廃棄物処理デバイスと、床面積を効率的に利用するように設計された小型構成を利用する廃棄物処理デバイスとを提供することが有用であると考えられる。
【課題を解決するための手段】
【０００５】
本発明の開示の態様によれば、小型廃棄物処理システムが提供される。小型廃棄物処理システムは、廃棄物処理デバイスと廃棄物を受け入れるためのカセットとを有する。廃棄物処理デバイスは、第１の側壁及び第２の側壁を有し、第１の側壁及び第２の側壁は、約６０から約１２０度の範囲の挟角βをその間に有するように構成される。廃棄物処理デバイスは、２つの側壁間を延びてそれらに接続された前壁を有する。廃棄物処理デバイスは、形状がほぼ三角形、ルーロー三角形、円錐断面（すなわち、円錐のスライス）、切頭円錐断面、又はその組合せである断面形状を有すると言うことができる。
【０００６】
カセットは、廃棄物処理デバイスと類似の断面形状を有することができる。カセットは、第１の側縁及び第２の側縁を有し、第１の側縁及び第２の側縁は、６０から約１２０度の範囲の挟角βをその間に有するように構成される。カセットは、２つの側縁間を延びてそれらに接続された前縁を有する。カセットは、形状がほぼ三角形、ルーロー三角形、円錐断面、切頭円錐断面、又はその組合せである断面形状（ＸＹ平面内の）を有すると言うことができる。カセットはまた、使用中に廃棄物を受け入れるための開放端及び廃棄物を格納するための閉鎖端を有する所定長さのほぼ管状のライナーフィルムを提供する。カセットは、廃棄物をフィルム内（廃棄物処理デバイス内）に格納することができるようにライナーフィルムが通過する中央通路を構成する。
【０００７】
カセットは、面が構成されるようにいずれの縁部からも延びる１又は２以上の壁を有することができる。これらの実施形態のうちの一部では、第１の側縁は、ほぼ下方に延びる第１の側壁を構成し、第２の側縁は、ほぼ下方に延びる第２の側壁を構成し、前縁は、ほぼ下方に延びる前壁を構成する。第１の側壁、第２の側壁、及び前面側壁は、中央通路を更に構成する。
【０００８】
他の実施形態では、第１の側縁、第２の側縁、及び前縁は、カセットの外側縁部を構成する。これらの実施形態のうちの一部では、第１の側縁は、ほぼ下方に延びる第１の側壁を構成し、第２の側縁は、ほぼ下方に延びる第２の側壁を構成し、前縁は、ほぼ下方に延びる前壁を構成し、この第１の側壁、この第２の側壁、及びこの前壁は、カセットの外壁を更に構成する。
【０００９】
任意的に、ライナーフィルムは、上述のカセットに取り付けられた開放端を有する。ライナーフィルムは、開いていて機械的な又は他の閉塞物（結び目、熱、化学又は接着シール、結紮、その他）を必要とする第２の端部を有することができ、又は密封された第２の端部を有するように製造される。
【００１０】
更に別の実施形態では、廃棄物処理デバイスは、約９０から約１５０度の範囲の第２の挟角αをその間に構成する第１の壁部分と第２の壁部分とを備える第１の前壁を有する。同様に、カセットは、約９０から約１５０度の範囲の第２の挟角をその間に有するような第１の縁部分及び第２の縁部分を備える前縁を有する。これらの実施形態では、廃棄物処理デバイス及び／又はカセットは、ほぼ四角形とすることができ、或る実施形態では、それは、平行四辺形、ダイヤモンド、菱形、又は完全な菱形（すなわち、等しい内角）である。前縁は、ほぼ下方に延びる前側壁を構成することができる。
【００１１】
更に別の実施形態では、カセットは、内壁と、第１の外壁セグメント及び第２の外壁セグメントを有する外壁と、内壁と外壁間を全体的に延びてほぼＵ字形ライナー空洞を形成する底壁とを有する。所定長さのほぼ管状のライナーフィルムは、（使用前又は更に使用中に、フィルムが消耗されるまで）ライナー空洞内に少なくとも部分的に閉じ込められる。或る実施形態では、蓋が、ライナー空洞内にライナーフィルムを少なくとも部分的に閉じ込める。蓋は、上部外面とこの上部外面、すなわち、この蓋の反対側の底部内面とを有する。
【００１２】
本発明の開示は、態様によって含むことができる要素又は特徴を含む態様及びそれらの態様の実施形態に関して本明細書に説明する。識別する実施形態は、「発明を実施するための形態」に以下で本明細書に説明するように単独で又は他の識別する実施形態のいずれかとの組合せで本発明の態様によって含めることができる。本発明の特徴及び利点は、以下に提供して添付図面に例示するような本発明の詳細説明に照らして明らかになるであろう。
【図面の簡単な説明】
【００１３】
【図１】廃棄物処理デバイス実施形態の概略斜視図である。
【図２】蓋を開放位置に配置して前面パネルを省略した図１に示す廃棄物処理デバイスの分解組立図である。
【図３】廃棄物処理デバイス実施形態の概略斜視図である。
【図４】廃棄物処理デバイス実施形態の概略斜視図である。
【図５】廃棄物処理デバイス実施形態の概略斜視図である。
【図６】廃棄物処理デバイス実施形態の概略斜視図である。
【図７】フィルム分注カセット実施形態の概略斜視図である。
【図８】フィルム分注カセット実施形態の概略上面図である。
【図９】フィルム分注カセット実施形態の断面図である。
【図１０】フィルム分注カセット実施形態の概略上面図である。
【図１１】フィルム分注カセット実施形態の概略上面図である。
【図１２】フィルム分注カセット実施形態の概略上面図である。
【発明を実施するための形態】
【００１４】
ここで図１〜６を参照して、フィルム分注カセット２２を含む小型廃棄物処理デバイス２０を提供する。「フィルムカセット」及び「カセット」は、本発明の開示を通して同義的に使用される。廃棄物処理デバイス２０及びカセット２２は、あらゆるタイプの廃棄品目を格納するために使用することができるが、おむつ、女性用衛生物品、失禁用物品、吸収パッド、及びペット排泄物の廃棄に十分に適するものである。
【００１５】
廃棄物処理デバイス２０は、ハウジング２４及び蓋２６を含む。本明細書の説明を容易にするために、廃棄物処理デバイス２０は、Ｘ軸に沿って延びる幅、Ｙ軸に沿って延びる深さ、及びＺ軸に沿って延びる高さを有するとして本明細書で説明され、Ｘ、Ｙ、及びＺは、直交軸線である（例えば、図１及び８を参照）。
【００１６】
本発明の小型廃棄物処理デバイス２０実施形態の各々のハウジング２４は、第１の側面パネル２８、第２の側面パネル３０、前面パネル３２、及び底面パネル３４を有する。ハウジング２４は、部屋のコーナでのユニットの配置を容易にするように構成され、前面パネル３２は、部屋の内部に向けてほぼ面しており、各側面パネル２８、３０は、部屋のコーナを形成するそれぞれの部屋壁（例えば、ほとんどの部屋のコーナは直角なコーナである）にほぼ平行に延びる。或る実施形態では、本発明の小型廃棄物処理デバイス２０のハウジング２４は、壁、成形物、及び別の壁又は物体（すなわち、おむつ替え用テーブル、ベビーベッド、収容箱又はドレッサー、その他）によって引き起こされる非直角コーナを受け入れる。ハウジング２４は、その形状に起因してそのような非直角コーナを受け入れ、例えば、非直角コーナを引き起こす棚、引き出し、壁コンセント、スイッチ、その他へのアクセスを可能にする。例えば、ハウジング２４が正方形の部屋のコーナに配置される場合に、前面パネル３２は、部屋の中心に面し、各側面パネル２８、３０は、部屋のコーナの一部分を形成するそれぞれの部屋壁に対してほぼ平行に延びる。ハウジング側面パネル２８、３０間を延びる挟角「β」は、６０度から１２０度の範囲にある。更に別の実施形態では、βは、約６０度から１０５度の範囲にある。更に別の実施形態では、βは、約７５度から約９０度の範囲にある。上述のハウジング２４の構成は、部屋内で床面積を効率的に使用する小型構成を提供する。
【００１７】
ここで図２を参照すると、各側面パネル２８、３０は、高さ方向に延びる後縁２８ａ、３０ａ、高さ方向に延びる前縁２８ｂ、３０ｂ、底縁２８ｃ、３０ｃ、及び上縁２８ｄ、３０ｄを有する。各側面パネル２８、３０の底縁及び上縁は、それぞれの側面パネルの前縁と後縁間を延びる。前面パネル３２は、上縁３２ａ及び底縁３２ｂを有する（図１を参照）。前面パネル３２は、各側面パネルのそれぞれの前縁に接続する側面パネル２８、３０間を延びる。底面パネル３４は、それぞれのパネルの底縁の近くで側面パネル２８、３０及び前面パネル３２間を延びてそれらに接続される。側面パネル２８、３０、底面パネル３４、及び前面パネル３２は、集合的に内部ストレージ領域３６を構成する。
【００１８】
図１及び５に示す実施形態では、側面パネル２８、３０は、それらのそれぞれの後縁２８ａ、３０ａに沿って互いに接続される。従って、側面パネル２８、３０は、収束してハウジング２４の後部コーナを生成する。上述のように、側面パネル２８、３０間を延びる挟角βは、６０から１２０度の範囲にある。
【００１９】
図３、４、及び６に示す実施形態では、ハウジング２４は、上縁３８ａ及び底縁３８ｂを有する後部パネル３８を含む。後部パネル３８は、側面パネル２８、３０間を延び、各側面パネルのそれぞれの後縁２８ａ、２８ｂに接続され、かつ底面パネル３４に接続される。上述のように、側面パネル２８、３０間を延びる挟角βは、６０から１２０度の範囲にある。図３及び４に図式的に示すハウジング実施形態は、側面パネル２８、３０間を延びる平面後部パネル３８を示している。図６に図式的に示すハウジング２４実施形態は、側面パネル２８、３０間を延びる弓形後部パネル３８を示している。挟角φは、側面パネル２８と前面パネル３２間を延び、一方で挟角θは、側面パネル３０と前面パネル３２間を延びる。ほぼ三角形の実施形態（すなわち、３つの頂点を有する）では、挟角β、φ、及びθは、そのような頂点に対応する。２つの頂点が後部パネルに沿ってほぼ位置合わせするように４又は５以上の辺を有する（すなわち、以下に限定されないが、切頭円錐状スライスと類似の形状のような４又は５以上の挟角を有する）実施形態では、側面パネル２８、３０は、突出して交差し、挟角βを構成することができる。
【００２０】
前面パネル３２は、様々な異なる構成を取ってもよい。図１及び３に図式的に示すハウジング２４実施形態は、側面パネル２８、３０間を延びる平面前面パネル３２を示している。図１に示すハウジング２４実施形態は、従って、ほぼ三角形形状として説明することができる。図３に示すハウジング２４実施形態は、従って、ほぼ台形形状として説明することができる。図４及び６に図式的に示すハウジング２４実施形態は、側面パネル間を延びる弓形前面パネル３２を示している。前面パネル３２の弓形形状は、いずれの特定の形状にも限定されず、例えば、それは、単一半径、部分卵形状、部分円形状、多半径形状、円錐形、切頭円錐形、その他に従う場合がある。これらの実施形態は、２次元（２−Ｄ）円錐形状を有するとして参照される場合がある。
【００２１】
或る実施形態では、開口部２５は、四辺形形状を形成するように前面パネル３２に沿って延びる軸線４７の周りで開口部２５（及び／又はハウジング２４及びカセット２２）を反射させて拡大することができる。それが正確な反射である場合に、前面パネル３２に沿って延びる軸線に対して対称性が存在する。他の実施形態では、軸線４５に沿って延びる対称性が存在する場合がある。軸線４５、４７は、廃棄物処理デバイス２４、開口部２５、蓋２６、カセット２２外側縁部６９、中央通路６２、その他を構成するパネル又は縁部に対して構成することができる。廃棄物処理デバイス２４、開口部２５、蓋２６、カセット２２外側縁部６９、中央通路６２、その他のいずれも類似又は合同形状とすることができ、又は様々な形状とすることができることに更に注意されたい。
【００２２】
図５に図式的に示すハウジング２４の実施形態は、第１のパネル部分４０及び第２のパネル部分４２を有する前面パネルを示し、パネル部分は、各々平面であり、挟角「α」で互いに対して例えば９０から１５０度の範囲で角度的に配置される。図５に示すハウジング２４の実施形態は、従って、ほぼダイヤモンド形状として説明することができる。挟角β及びα（及び同じくφ及びθ）は、外側縁部又は壁（すなわち、β１及び／又はα１）、内側縁部又は壁（すなわち、β２及び／又はα２）、蓋の周囲態様（すなわち、β３及び／又はα４）、及び／又は開口部（すなわち、β４及び／又はα４）を形成する縁部又は壁から構成することができ、その結果、挟角β１、β２、β３、及び／又はβ４が存在するようになり、β１、β２、β３、及び／又はβ４は、等しい、ほぼ等しい、及び／又は異なる可能性があることに更に注意されたい。同様に、挟角αは、挟角α１、α２、α３、及び／又はα４が存在するように構成することができ、α１、α２、α３、及び／又はα４は、等しい、ほぼ等しい、及び／又は異なる可能性がある。それは、φ及びθにも当て嵌まる。平行四辺形、矩形、菱形、完全菱形、及びたこ形（すなわち、等長辺の２対）を含む他の四辺形形状は、本発明の開示の範囲内である。
【００２３】
ハウジング２４は、側面パネル２８、３０、及び前面パネル３２（及び適用可能な場合に後部パネル３８）と係合する上面パネル４４を含むことができる。以下に説明するように、上面パネル４４は、フィルム分注カセット２２を受け入れるように構成され、かつ蓋２６と嵌合するように構成することができる。
【００２４】
ハウジング２４の構成要素（例えば、側面パネル２８、３０、前面パネル３２）は、上述のように互いに締結された独立構成要素とすることができ、又は構成要素のうちの２又は３以上は、単体構造として製作することができ、例えば、側面パネル２８、３０は、単体構成要素とすることができて前面パネル３２が取り付けられ、又は側面パネル２８、３０及び前面パネル３２は、単体構成要素として形成することができる（例えば、射出成形、ブロー成形、鋳造、回転成形、熱成形のような成形工程により）。本発明の廃棄物処理デバイス２０は、製造又は構成のいずれの特定の工程にも限定されない。
【００２５】
本発明の廃棄物処理デバイス２０の蓋２６は、典型的には、ハウジング２４の形状を全体的に補完するように構成される。蓋２６は、ハウジング２４の中に挿入されて格納されるように廃棄物を受け入れるような大きさにされた廃棄物処理デバイス２０の開口部２５を覆う。或る実施形態では、蓋２６は、後部分５０と前縁５２間を延びる側縁４６、４８を含む（図２を参照）。後部分５０は、上面パネル４４（又は他のハウジング要素）にピボット回転可能に取り付けられ、蓋２６の前縁５２がハウジング２４の方向にかつそれから離れるようにピボット回転すること、例えば、蓋２６がハウジング２４（例えば、上面パネル）と係合する閉鎖位置までピボット回転し、それによって内部ストレージ領域３６へのアクセスを防止すること、又は蓋２６が開口部２５から離れるように回転される開放位置までピボット回転して内部ストレージ領域３６へのアクセスを提供することを可能にする。例えば、図１〜６に示す蓋２６実施形態は、ハウジング２４の形状を反射する、例えば、直線又は弓形前縁を用いて実質的に三角形に成形された構成を有するほぼ平面であり、又は台形状を有し、又はダイヤモンド形状などを有する。
【００２６】
蓋２６は、後部分５０とは対照的に廃棄物処理デバイス２２の側面２８又は３０に接続することができ、その結果、廃棄物処理デバイス２２は右側又は左側を開放するようになる。これは、廃棄物処理デバイスに蓋２６を接続するヒンジ位置に応じて、壁（又は廃棄物処理デバイス２２に隣接して位置するあらゆる他の物体）に対して全９０度（及び潜在的に９０度よりも大きい）だけ廃棄物処理デバイス２２の上部から上方に蓋２６が自由に揺れることができるように（蓋２６は、廃棄物処理デバイス２２に接続されている）部屋のコーナに位置する可能性が高い廃棄物処理デバイス２２に対して有利である。これは、蓋２６の縁部４６、４８、５２及び／又は上面が最終的に部屋の壁と一致することができるので、開口部のレベルの低下を有する場合がある側面パネル２８、３０の交差点によってヒンジされた蓋とは対照的である。ペールが４つの辺を有する多角形である（すなわち、切頭円錐断面と類似の形状を有する）他の実施形態では、後部パネル３８は、側面パネル２８、３０のうちの１つに蓋２６を取り付けることなく蓋の半径を増大させる。蓋２６は、いずれの特定の構成にも限定されない。
【００２７】
廃棄物処理デバイス２０の前面パネル３２は、開放されて内部ストレージ領域３６へのアクセスを提供するドア５４（例えば、図１、３、４、及び６を参照）を含むことができる。
【００２８】
或る実施形態では、蓋２６は、例えば前面パネル３２に配置された足踏みペダル５６に接続される。足踏みペダル５６を押し下げることは、蓋２６をピボット回転して開かせ、それによって廃棄物処理デバイス２０の内側ストレージ領域３６へのアクセスを提供するリンケージ（図示せず）を作動させる。一部の廃棄物処理デバイス２０では、足踏みペダル５６を押し下げることはまた、廃棄物処理装置内の機構（例えば、ライナー締め付けアセンブリ）をそれが開口部２５の下のライナー内の堆積を可能にする「開放位置」まで移動させる。足踏みペダル５６が解除されると、蓋２６は、自動的に閉じ、機構は、その通常の閉じた位置に戻る。閉鎖位置では、機構は、ライナーを締め付ける（又は他に閉じる）（例えば、匂い発散を軽減するように）。
【００２９】
本発明の廃棄物処理デバイス２０実施形態は、フィルムカセット２２を含むように構成される。カセット２２は、蓋２６の下に垂直にハウジング２４から挿入されて取り出すことができ、例えば、ハウジング上面パネル４４は、ハウジング２４内にフィルムカセット２２を装着するように構成される。図１及び２に示す例示的実施形態は、そのような構成を有する。他の廃棄物処理デバイス２０は、ハウジング２４の前面パネル３２（又は他のパネル）からのフィルムカセット２２の挿入又は取り出しを可能にするように構成することができる。本発明のフィルムカセット２２実施形態は、それらの構成のいずれかに使用することができ、本発明のフィルムカセット２２は、いずれの特定の廃棄物処理デバイス２０内の使用にも限定されない。
【００３０】
ここで図７〜１２を参照すると、本発明のカセット２２は、中央通路６２を有する。中央通路６２は、内壁縁部６３によって構成され、或る実施形態では、内壁縁部６３は内壁６４を構成する。或る実施形態では、カセット２２は、中央通路６２の外部であるライナー空洞５８を有する。ライナー空洞５８は、ライナーフィルム６０の供給を保持する様々な構成を取ることができる。
【００３１】
或る実施形態では、カセット２２は、外壁縁部６９を有する。或る実施形態では、外壁縁部６９は外壁６８を構成する。或る実施形態では、ライナー空洞５８は、外壁６８の内部に位置付けられ、かつ外壁６８によって構成される。ライナー空洞５８は、ライナーフィルム６０の供給を保持する様々な構成を取ってもよい。
【００３２】
或る実施形態では、カセット２２は、ライナー空洞５８を構成する外壁６８及び内壁６４を有する。内壁６４は、中央通路６２を更に構成する。
【００３３】
図７〜９に示す実施形態では、ライナー空洞５８は、内壁６４、底壁６６、及び外壁６８によって構成される。内壁６４は、外壁６８の半径方向内側にあり、底壁６６は、例えば、内壁及び外壁６４、６８の底面縁部で又はその近くで内壁６４と外壁６８間を延びてそれらに接続する。内壁６４、底壁６６、及び外壁６８は、開口部のない壁構造を有すると図９に示されているが、それらは、開口部のない壁構成に限定されることなく、例えば、内壁６４、底壁６６、及び外壁６８のうちの１又は２以上は、ライナーフィルム６０の供給を保持するのに妥当なあらゆる構成を取ることができる。ライナー空洞５８は、連続単体構造として形成することができ（例えば、内壁及び外壁及び底壁は、連続単体構造として形成される）、又はそれらは、互いに接続された複数の部分とすることができる。
【００３４】
これに代えて、カセット２２は、カセット２２に取り付け可能な所定長さのライナー５８を有する。或る実施形態では、ライナー５８は、ライナー５８が中央通路６２の中に延びるようにカセット２２に取り付けられる。
【００３５】
内壁６４、底壁６６、外壁６８は、内壁６４の上面縁部６３と外壁６８の上面縁部６９間を延びるライナー空洞開口部７０を有するほぼＵ字形断面を構成する。ライナー空洞５８の断面形状は、カセット２２の周囲全体の周りに一貫している場合があり、又はそれは、周囲の周りで断面形状が変わる場合がある。図９に示す実施形態では、内壁６４は内部空洞壁であり、かつ中央通路６２の形状を構成する。代替実施形態では、内壁６４は、内部通路壁とは無関係である場合があり、すなわち、内部通路壁は、内壁６４の半径方向内側に配置することができ、少なくとも部分的に中央通路６２を構成する構造である。
【００３６】
ほとんどの実施形態では、カセット２２（及びその中央通路６２）の形状は、廃棄物処理デバイス２０の形状に対応する。例えば、図１及び２に示す実施形態では、廃棄物処理デバイス２０は、上述のように、平面前面パネル３２を有するほぼ三角形状の断面形状（すなわち、ＸＹ平面内）を有する。図７によって更に例示するようなこの実施形態では、カセット２２（及びその中央通路６２）はまた、ほぼ三角形状を有し、同じく前縁（又は壁）１３２及び側縁（又は壁）１２８、１３０を有し、例えば、図７〜９を参照されたい。これに代えて、廃棄物処理デバイス２０は、ほぼ台形状のカセット２２を有してもよい。台形状カセット２２は、カセット２２の後部のハウジング２４の一部分（例えば、上面パネル４４の一部分）が蓋２６のヒンジ式取り付けに使用されることを可能にする。図３に示す廃棄物処理デバイス２０は、上述のように、ほぼ台形状の断面形状を有する。この実施形態では、カセット２２（及びその中央通路６２）は、台形状を有し、例えば、図１０を参照されたい。図４及び６に示す廃棄物処理デバイス２０の実施形態は、上述のように、円錐形の断面形状を有する。この実施形態では、カセット２２（及びその中央通路）はまた、円錐形、例えば、図１１に示すような尖った円錐形カセット２２又は切頭円錐を有する。図５に示す廃棄物処理デバイス２０は、上述のように、ほぼダイヤモンド形状の断面形状を有する。この実施形態では、カセット２２（及びその中央通路）はまた、ほぼダイヤモンド形状を有し、図１２を参照されたい。或る実施形態では、最大幅方向寸法は、前縁（又は壁）１３２の近くに又はその上に位置付けられる。四辺形形状を有する実施形態では、最大幅方向寸法は、θ及び／又はφの二等分線に沿って、又はそのような二等分線と前縁（又は壁）１３２間を延びる。或る実施形態では、最大深さ方向寸法は、角度βの二等分線に沿って延びる。四辺形形状を有する実施形態では、最大深さ方向寸法は、角度β及び／又はαの二等分線に沿って延びる。四辺形形状を有する実施形態では、最大深さ方向寸法は、軸線４７の中間点から垂直に又は軸線４５に沿って延びる。
【００３７】
上述のように、ハウジング２４の側面パネル２８、３０は、６０から１２０度の範囲の挟角βで側面パネル２８、３０間を延びるように構成され、本発明の廃棄物処理デバイス２０実施形態の空間節約態様を促進する。カセット２２の形状は、典型的には、上述の形状を鏡面反射してカセット２２の中央通路６２の断面積を最大にする（例えば、図１２に示すカセット実施形態は、挟角β及びαを有する）。或る実施形態では、縁部及び／又は壁は、面取り形、丸形、又は尖塔形状を有し、及び／又は他に鋭い縁部及び／又はコーナを低減するように修正され、こうして製造容易性を支援し、及び／又は安全性の懸念を低減することができる。挟角β及びαは、外側縁部又は壁（すなわち、β１及び／又はα１）、内側縁部又は壁（すなわち、β２及び／又はα２）、及び／又は中央通路（すなわち、β３及び／又はα３）を形成する縁部又は壁から構成することができ、その結果、挟角β１、β２、及び／又はβ３が存在することになり、β１、β２、及び／又はβ３は、等しい、ほぼ等しい、及び／又は異なる可能性があることに更に注意されたい。同様に、挟角αは、挟角α１、α２、及び／又はα３が存在するように構成することができ、α１、α２、及び／又はα３は、等しい、ほぼ等しい、及び／又は異なる可能性がある。
【００３８】
他の実施形態では、カセット２２の外側縁部６９（又は外壁６８）は、中央通路６２とは異なる形状を構成する。例えば、外側縁部６９（又は外壁６８）は、ほぼ三角形状の断面形状を有してもよく、一方で中央通路６２は、弓形断面形状を有してもよい。或る実施形態では、各縁部又は壁は、複数のパネル、セグメント、又はファセット（直線、弓形、又は波状）を有することができ、ほぼ多角形の形状を正式に形成することができる。いずれの幾何学形状のための他の形状も、開示の範囲内である（すなわち、正方形、正方円、矩形、六角形、八角形、十辺形、十二角形、その他）。外側縁部６９（又は外壁６８）が構成する外側形状が中央通路６２の形状とは異なる実施形態は、外側形状と中央通路６２間のそのような余分な空間（例えば、外側形状は円錐形であり、内側形状は切頭円錐状である）に位置付けられたライナーフィルム６０と匂い制御ストリップ、ポーチ、小袋などのような追加の利益とを提供するのに有利であるとすることができる。
【００３９】
他の実施形態では、外側縁部６９（又は外壁６８）が構成するカセット２２の外側断面形状は、廃棄物処理デバイス２０の形状とは異なり、更に別の廃棄物処理デバイス２０機構（すなわち、蓋２６係合又は他のカセット２２／廃棄物処理デバイス２０係合機能）を可能にし、又は匂い制御ストリップ、ポーチ、小袋などのような追加の利益を廃棄物処理デバイス２０の上に又はその中に置くことを可能にする（カセット２２の中に組み込むものとは対照的に）。例えば、廃棄物処理デバイス２０は、菱形、ダイヤモンド、たこ形、その他の断面形状を有することができ、一方でカセット２２の外側縁部６９（又は外壁６８）は、三角形である。同様に、廃棄物処理デバイス２０の形状は、本発明の開示を通して上述したように中央通路６２の形状とは異なる場合がある。
【００４０】
ライナーフィルム６０は、所定長さを延びる閉じた周囲構成で形成されたフィルムである。閉じた周囲構成は、ライナー材料６０が長手方向に延びる連続周囲を有するようなものであり、例えば、構成は、「管状」として説明することができる。ライナーフィルム６０の断面構成（すなわち、断面周囲形状）は、特定の構成に応じて異なる場合がある。ライナーフィルム６０は、以下に説明するように、ライナー空洞５８内に格納することができ、ライナー空洞５８から容易に引き出すことができ、かつ閉じた構成（例えば、結ばれた）で形成することができる可撓性材料から構成される。可撓性プラスチックフィルムは、満足できるライナーフィルム６０の例である。ライナーフィルムは、ポリエチレン、ポリプロピレン、ポリエステル、ＥＶＡ、ＥＶＯＨ、ナイロン、タイレジン、タルク、二酸化チタンのうちの１又は２以上の層を含むことができ、炭素、炭酸カルシウム、及びスリップ剤のような添加剤を更に含むことができる。ライナーフィルム６０の実施形態は、匂い吸着器及び匂い吸収器などを含む香料のような匂いを隠し、匂いを軽減する薬剤を含むことができる。
【００４１】
上述のように、ライナー空洞５８は、ライナーフィルム６０の供給を保持するような大きさにされた空洞を構成する。ライナーフィルム６０は、ライナー６０の区分的部分をライナー空洞５８から引き出すことを可能にする向きでライナー空洞５８内に格納される。図７に示す実施形態では、カセット２２は、ライナーフィルム６０をライナー空洞開口部７０に配置された開口部７２を通じてライナー空洞５８から引き出すことができるように構成され、例えば、図７に図式的に示すカセット２２は、ライナー空洞開口部７０を実質的に覆ってライナーフィルム６０がライナー空洞５８から引き出される開口部７２を生成するカバーパネル７４を含む。本発明のカセット２２は、いずれの特定のライナー経路構成にも限定されず、例えば、ライナーフィルム６０は、これに代えて、ライナー空洞５８の底壁６６、内壁、又は外壁６８を通じてライナー空洞５８から引き出すことができる。ライナーフィルム６０が外壁又は内壁から引き出される実施形態では、それは、蓋又は底壁に近接する端部を通じてそのように行うことができる。本発明のカセット２２はまた、ライナーフィルム６０をユーザによる要求に応じてライナー空洞５８から容易に引き出すことができるならば、ライナー空洞５８内にライナーフィルム６０を配置するいずれの特定の方式（例えば、折り畳む、ひだをつける、その他）にも限定されない。
【００４２】
本発明のカセット２２は、必要に応じて廃棄物処理デバイス２０から取り出して取り替えることができる。例えば、図１、３、４、及び６に示す廃棄物処理デバイス実施形態では、カセット２２は、ペールへのアクセスを提供することにより、例えば、蓋２６を開けることによって取り替えて、空のカセット２２をハウジング２４から取り出し（必要に応じて）、未使用カセット２２をハウジング２４の中に配置することができる。次に、ユーザは、所定長さのライナーフィルム６０をライナー空洞５８から引き出し、中央通路６２を通じて内側ストレージ領域３６の中にそれを給送し、その結果、ライナーフィルム６０の自由端は、デバイス２０の下端の近くに配置されるようになる。次に、ユーザは、ライナーフィルム６０の自由端を閉じてライナーフィルムの「バッグ」を形成し（例えば、ライナーフィルムを自由端に隣接する結び目の中に結ぶことにより）、デバイス２０を閉じる。この構成では、廃棄物処理デバイス２０（及び具体的にはライナーフィルム６０）は、以下に限定されないが、使い捨ておむつ、おむつ、トレーニングパンツ、女性用衛生製品、失禁用製品、ペット排泄物受け入れ物品のような廃棄物を受け入れる状態になっている。重力は、ライナーフィルムバッグの中に堆積されたいかなる廃棄物もライナーフィルムバッグの閉じた自由端に向けて強く押す。ライナーフィルムバッグが廃棄物で満杯である時に、ライナーフィルム６０の上端は、ライナーフィルムの供給から分離することができ（例えば、格納廃棄物の上方の点でライナーフィルム６０を切断することにより）、バッグは廃棄物処理デバイス２０から取り出される。次に、分離したばかりのライナーフィルム６０の端部を閉じて（例えば、結び目又はファスナにより）バッグを廃棄することができる。次に、この処理が繰り返され、例えば、ユーザは、ライナー空洞５８から別の長さのライナーフィルム６０を引き出し、中央通路６２を通じてそれを内部ストレージ領域３６に引き入れる。次に、ユーザは、ライナー材料の自由端を閉じて新しいライナーフィルムバッグを形成する。
【００４３】
本発明は、例示的実施形態を参照して説明したが、本発明の範囲から逸脱することなく様々な変更を行うことができ、本発明の要素を均等物で置換することができることは当業者によって理解されるであろう。これに加えて、本発明の教示に対してその本質的な範囲から逸脱することなく特定の状況又は内容を適応させるために多くの修正を行うことができる。従って、本発明は、この発明を実施するために考えられた最良のモードとして本明細書に開示する特定の実施形態に限定されないように意図している。
【符号の説明】
【００４４】
２０  廃棄物処理デバイス
２６  蓋
３２  前面パネル
３６  内部ストレージ領域
β  挟角
【図１】
2019503319.tif 000003
【図２】
2019503319.tif 000004
【図３】
2019503319.tif 000005
【図４】
2019503319.tif 000006
【図５】
2019503319.tif 000007
【図６】
2019503319.tif 000008
【図７】
2019503319.tif 000009
【図８】
2019503319.tif 000010
【図９】
2019503319.tif 000011
【図１０】
2019503319.tif 000012
【図１１】
2019503319.tif 000013
【図１２】
2019503319.tif 000014
2019503319.tif 000015
【国際調査報告】
2019503319.tif 000016
2019503319.tif 000017
2019503319.tif 000018